(57)【要約】【課題】１画像当たりのデータ量を抑えることができる映像信号処理装置を提供する。【解決手段】映像信号処理装置は、レンズの周辺光量落ちによる周辺画質劣化を補正する周辺光量補正手段と、レンズの歪みによる周辺画質劣化を補正する歪み補正手段とを備える。また、周辺光量補正手段及び歪み補正手段による補正画像を差分予測画像として元画像を可逆フレーム間圧縮し、元画像圧縮データを生成する元画像圧縮データ生成手段を備える。また、補正画像を可逆フレーム内圧縮し、補正画像圧縮データを生成する補正画像圧縮データ生成手段と、レンズ情報、元画像圧縮データ、補正画像圧縮データを一つのファイルとして保存する保存手段とを備える。各手段は、システム制御部１０２がその機能を有する。【選択図】図２
2008118547.tif 000002
【特許請求の範囲】
【請求項１】
レンズの周辺光量落ちによる周辺画質劣化を補正する周辺光量補正手段と、
前記レンズの歪みによる周辺画質劣化を補正する歪み補正手段と、
前記周辺光量補正手段及び前記歪み補正手段による補正画像を差分予測画像として元画像を可逆フレーム間圧縮し、元画像圧縮データを生成する元画像圧縮データ生成手段と、
補正画像を可逆フレーム内圧縮し、補正画像圧縮データを生成する補正画像圧縮データ生成手段と、
レンズ情報、前記元画像圧縮データ、前記補正画像圧縮データを一つのファイルとして保存する保存手段と、
を備えることを特徴とする映像信号処理装置。
【請求項２】
レンズの周辺光量落ちによる周辺画質劣化を補正する周辺光量補正手段と、
前記周辺光量補正手段による周辺光量補正画像を差分予測画像として元画像を可逆フレーム間圧縮し、元画像圧縮データを生成する元画像圧縮データ生成手段と、
前記周辺光量補正画像から歪み補正画像を生成する歪み補正手段と、
補正画像を可逆フレーム内圧縮し、補正画像圧縮データを生成する補正画像圧縮データ生成手段と、
レンズ情報、前記元画像圧縮データ、前記補正画像圧縮データを一つのファイルとして保存する保存手段と、
を備えることを特徴とする映像信号処理装置。
【請求項３】
所望の被写体像を結像するレンズと、
前記レンズのズーム倍率を制御するズーム制御手段と、
前記レンズのズーム倍率を検出するズーム倍率検出手段と、
被写体像が結像されてその画像に応じた映像信号を出力する撮像素子と、
前記レンズに起因する複数の画像劣化を補正する複数の補正手段と、
前記撮像素子によって得られた画像を記憶する記憶手段とを備え、
更に、未補正画像と前記複数の補正手段のそれぞれにより段階的に補正されたそれぞれの画像の内の１種類以上を前記記憶手段に記憶し、かつ、記憶する複数の画像については、未補正画像から補正処理の順に一つ前の画像を差分予測画像とし、差分情報を記憶させる制御を行うシステム制御手段を備えることを特徴とする映像信号処理装置。
【請求項４】
前記複数の補正手段は、座標変換を伴う複数の補正手段と座標変換を伴わない複数の補正手段であり、差分を取る元のデータから座標変換を伴って該当画像が補正される場合は、差分を取る元のデータを座標変換した後の画像を差分予測画像とすることを特徴とする請求項３に記載の映像信号処理装置。
【請求項５】
前記システム制御手段は、未補正画像をフレーム内圧縮して未補正画像圧縮データを記憶させることを特徴とする請求項３乃至請求項４に記載の映像信号処理装置。
【請求項６】
所望の被写体像を結像するレンズと、
前記レンズのズーム倍率を制御するズーム制御手段と、
前記レンズのズーム倍率を検出するズーム倍率検出手段と、
被写体像が結像されてその画像に応じた映像信号を出力する撮像素子と、
前記レンズに起因する複数の画像劣化を補正する複数の補正手段と、
前記撮像素子によって得られた画像を記憶する記憶手段とを備え、
更に、補正済み画像と前記複数の補正手段のそれぞれにより段階的に補正されたそれぞれの画像の内の１種類以上を前記記憶手段に記憶し、かつ、記憶する複数の画像については、補正済み画像から補正処理の順に一つ後の画像を差分予測画像とし、差分情報を記憶させる制御を行うシステム制御手段を備えることを特徴とする映像信号処理装置。
【請求項７】
前記複数の補正手段は、座標変換を伴う複数の補正手段と座標変換を伴わない複数の補正手段であり、差分を取る元のデータから座標変換を伴って該当画像が補正される場合は、差分を取る元のデータを座標変換する前の画像を差分予測画像とすることを特徴とする、請求項６に記載の映像信号処理装置。
【請求項８】
前記システム制御手段は、補正済み画像をフレーム内圧縮して補正済み画像圧縮データを記憶させることを特徴とする請求項６乃至請求項７に記載の映像信号処理装置。
【請求項９】
前記記憶手段は、画像と共にレンズの種類や撮影時のズーム位置情報等のレンズ情報も記憶することを特徴とする請求項３乃至請求項８のいずれかに記載の映像信号処理装置。
【請求項１０】
レンズの周辺光量落ちによる周辺画質劣化を補正する周辺光量補正ステップと、
前記レンズの歪みによる周辺画質劣化を補正する歪み補正ステップと、
前記周辺光量補正ステップ及び前記歪み補正ステップによる補正画像を差分予測画像として元画像を可逆フレーム間圧縮し、元画像圧縮データを生成する元画像圧縮データ生成ステップと、
補正画像を可逆フレーム内圧縮し、補正画像圧縮データを生成する補正画像圧縮データ生成ステップと、
レンズ情報、前記元画像圧縮データ、前記補正画像圧縮データを一つのファイルとして保存する保存ステップと、
を備えることを特徴とする映像信号処理方法。
【請求項１１】
レンズの周辺光量落ちによる周辺画質劣化を補正する周辺光量補正ステップと、
前記周辺光量補正ステップによる周辺光量補正画像を差分予測画像として元画像を可逆フレーム間圧縮し、元画像圧縮データを生成する元画像圧縮データ生成ステップと、
前記周辺光量補正画像から歪み補正画像を生成する歪み補正ステップと、
補正画像を可逆フレーム内圧縮し、補正画像圧縮データを生成する補正画像圧縮データ生成ステップと、
レンズ情報、前記元画像圧縮データ、前記補正画像圧縮データを一つのファイルとして保存する保存ステップと、
を備えることを特徴とする映像信号処理方法。
【請求項１２】
レンズの周辺光量落ちによる周辺画質劣化を補正する周辺光量補正モジュールと、
前記レンズの歪みによる周辺画質劣化を補正する歪み補正モジュールと、
前記周辺光量補正モジュール及び前記歪み補正モジュールによる補正画像を差分予測画像として元画像を可逆フレーム間圧縮し、元画像圧縮データを生成する元画像圧縮データ生成モジュールと、
補正画像を可逆フレーム内圧縮し、補正画像圧縮データを生成する補正画像圧縮データ生成モジュールと、
レンズ情報、前記元画像圧縮データ、前記補正画像圧縮データを一つのファイルとして保存する保存モジュールと、
をコンピュータに実行させることを特徴とする映像信号処理プログラム。
【請求項１３】
レンズの周辺光量落ちによる周辺画質劣化を補正する周辺光量補正モジュールと、
前記周辺光量補正モジュールによる周辺光量補正画像を差分予測画像として元画像を可逆フレーム間圧縮し、元画像圧縮データを生成する元画像圧縮データ生成モジュールと、
前記周辺光量補正画像から歪み補正画像を生成する歪み補正モジュールと、
補正画像を可逆フレーム内圧縮し、補正画像圧縮データを生成する補正画像圧縮データ生成モジュールと、
レンズ情報、前記元画像圧縮データ、前記補正画像圧縮データを一つのファイルとして保存する保存モジュールと、
をコンピュータに実行させることを特徴とする映像信号処理プログラム。
【請求項１４】
請求項１２記載の映像信号処理プログラムを格納するコンピュータ読み取り可能な記憶媒体。
【請求項１５】
請求項１３記載の映像信号処理プログラムを格納するコンピュータ読み取り可能な記憶媒体。
【発明の詳細な説明】
【技術分野】
【０００１】
本発明は、映像信号処理装置及び方法、並びにプログラム及び記憶媒体に係り、特に、例えば液晶モニタをファインダとして有し、専ら、バッテリ駆動にて動作する電子スチルカメラに好適な映像信号処理装置及び方法、並びにプログラム及び記憶媒体に関する。
【背景技術】
【０００２】
一般にレンズ系と撮像素子とを有する撮像装置においては、例えば、レンズ系による周辺光量落ちや歪み等によって、撮像される画像に障害が発生する恐れがある。このような障害に対しては、例えば、レンズ系を多枚数で設計して障害の発生を防止することも行われるが、このような多枚数で設計されるレンズ系は高価であり、コンパクトカメラ等には採用が困難な場合が多い。
【０００３】
一方、例えば、半導体撮像素子を用いる機器のように、信号の取り出しがＸＹ座標に従って行われる場合には、取り出された映像信号に対するデジタル処理によって画像を補正することができる。そこで従来から、例えば安価なレンズ系で撮像したために生じる歪みや、周辺光量落ち、色にじみ等をデジタル補正する技術が提案されている。
【０００４】
また、光学ズームの倍率によって周辺光量落ちや歪みの度合いは変化するため、レンズ系の周辺光量落ちや歪みを、上記のような技術でデジタル補正するコンパクト電子スチルカメラでは、撮影に使用する光学ズーム倍率ごとに補正を適用するのが一般的である。
【０００５】
更に、撮影した画像をパソコン等に取り込んでユーザの好みで補正ができるように、補正後の画像だけでなく補正前の画像も一緒に記録する技術が提案されている（例えば、特許文献１参照）。
【特許文献１】特開２００５−１２２３２０号公報
【発明の開示】
【発明が解決しようとする課題】
【０００６】
しかしながら、特許文献１の技術では、１枚の画像について記録するデータが２枚分以上になるため、容量が限られたフラッシュメモリ等の記憶媒体では、通常撮影に比べて記録枚数が１／２以下に制限されてしまうという問題がある。
【０００７】
本発明の目的は、１画像当たりのデータ量を抑えることができる映像信号処理装置及び方法、並びにプログラム及び記憶媒体を提供することにある。
【課題を解決するための手段】
【０００８】
上記目的を達成するために、請求項１記載の映像信号処理装置は、レンズの周辺光量落ちによる周辺画質劣化を補正する周辺光量補正手段と、前記レンズの歪みによる周辺画質劣化を補正する歪み補正手段と、前記周辺光量補正手段及び前記歪み補正手段による補正画像を差分予測画像として元画像を可逆フレーム間圧縮し、元画像圧縮データを生成する元画像圧縮データ生成手段と、補正画像を可逆フレーム内圧縮し、補正画像圧縮データを生成する補正画像圧縮データ生成手段と、レンズ情報、前記元画像圧縮データ、前記補正画像圧縮データを一つのファイルとして保存する保存手段とを備えることを特徴とする。
【０００９】
請求項２記載の映像信号処理装置は、レンズの周辺光量落ちによる周辺画質劣化を補正する周辺光量補正手段と、前記周辺光量補正手段による周辺光量補正画像を差分予測画像として元画像を可逆フレーム間圧縮し、元画像圧縮データを生成する元画像圧縮データ生成手段と、前記周辺光量補正画像から歪み補正画像を生成する歪み補正手段と、補正画像を可逆フレーム内圧縮し、補正画像圧縮データを生成する補正画像圧縮データ生成手段と、レンズ情報、前記元画像圧縮データ、前記補正画像圧縮データを一つのファイルとして保存する保存手段とを備えることを特徴とする。
【００１０】
請求項３記載の映像信号処理装置は、所望の被写体像を結像するレンズと、前記レンズのズーム倍率を制御するズーム制御手段と、前記レンズのズーム倍率を検出するズーム倍率検出手段と、被写体像が結像されてその画像に応じた映像信号を出力する撮像素子と、前記レンズに起因する複数の画像劣化を補正する複数の補正手段と、前記撮像素子によって得られた画像を記憶する記憶手段とを備え、更に、未補正画像と前記複数の補正手段のそれぞれにより段階的に補正されたそれぞれの画像の内の１種類以上を前記記憶手段に記憶し、かつ、記憶する複数の画像については、未補正画像から補正処理の順に一つ前の画像を差分予測画像とし、差分情報を記憶させる制御を行うシステム制御手段を備えることを特徴とする。
【００１１】
請求項６記載の映像信号処理装置は、所望の被写体像を結像するレンズと、前記レンズのズーム倍率を制御するズーム制御手段と、前記レンズのズーム倍率を検出するズーム倍率検出手段と、被写体像が結像されてその画像に応じた映像信号を出力する撮像素子と、前記レンズに起因する複数の画像劣化を補正する複数の補正手段と、前記撮像素子によって得られた画像を記憶する記憶手段とを備え、更に、補正済み画像と前記複数の補正手段のそれぞれにより段階的に補正されたそれぞれの画像の内の１種類以上を前記記憶手段に記憶し、かつ、記憶する複数の画像については、補正済み画像から補正処理の順に一つ後の画像を差分予測画像とし、差分情報を記憶させる制御を行うシステム制御手段を備えることを特徴とする。
【００１２】
請求項１０記載の映像信号処理方法は、レンズの周辺光量落ちによる周辺画質劣化を補正する周辺光量補正ステップと、前記レンズの歪みによる周辺画質劣化を補正する歪み補正ステップと、前記周辺光量補正ステップ及び前記歪み補正ステップによる補正画像を差分予測画像として元画像を可逆フレーム間圧縮し、元画像圧縮データを生成する元画像圧縮データ生成ステップと、補正画像を可逆フレーム内圧縮し、補正画像圧縮データを生成する補正画像圧縮データ生成ステップと、レンズ情報、前記元画像圧縮データ、前記補正画像圧縮データを一つのファイルとして保存する保存ステップとを備えることを特徴とする。
【００１３】
請求項１１記載の映像信号処理方法は、レンズの周辺光量落ちによる周辺画質劣化を補正する周辺光量補正ステップと、前記周辺光量補正ステップによる周辺光量補正画像を差分予測画像として元画像を可逆フレーム間圧縮し、元画像圧縮データを生成する元画像圧縮データ生成ステップと、前記周辺光量補正画像から歪み補正画像を生成する歪み補正ステップと、補正画像を可逆フレーム内圧縮し、補正画像圧縮データを生成する補正画像圧縮データ生成ステップと、レンズ情報、前記元画像圧縮データ、前記補正画像圧縮データを一つのファイルとして保存する保存ステップとを備えることを特徴とする。
【００１４】
請求項１２記載の映像信号処理プログラムは、レンズの周辺光量落ちによる周辺画質劣化を補正する周辺光量補正モジュールと、前記レンズの歪みによる周辺画質劣化を補正する歪み補正モジュールと、前記周辺光量補正モジュール及び前記歪み補正モジュールによる補正画像を差分予測画像として元画像を可逆フレーム間圧縮し、元画像圧縮データを生成する元画像圧縮データ生成モジュールと、補正画像を可逆フレーム内圧縮し、補正画像圧縮データを生成する補正画像圧縮データ生成モジュールと、レンズ情報、前記元画像圧縮データ、前記補正画像圧縮データを一つのファイルとして保存する保存モジュールとをコンピュータに実行させることを特徴とする。
【００１５】
請求項１３記載の映像信号処理プログラムは、レンズの周辺光量落ちによる周辺画質劣化を補正する周辺光量補正モジュールと、前記周辺光量補正モジュールによる周辺光量補正画像を差分予測画像として元画像を可逆フレーム間圧縮し、元画像圧縮データを生成する元画像圧縮データ生成モジュールと、前記周辺光量補正画像から歪み補正画像を生成する歪み補正モジュールと、補正画像を可逆フレーム内圧縮し、補正画像圧縮データを生成する補正画像圧縮データ生成モジュールと、レンズ情報、前記元画像圧縮データ、前記補正画像圧縮データを一つのファイルとして保存する保存モジュールとをコンピュータに実行させることを特徴とする。
【００１６】
請求項１４記載のコンピュータ読み取り可能な記憶媒体は、請求項１２記載の映像信号処理プログラムを格納する。
【００１７】
請求項１５記載のコンピュータ読み取り可能な記憶媒体は、請求項１３記載の映像信号処理プログラムを格納する。
【発明の効果】
【００１８】
映像信号処理装置は、レンズの周辺光量落ちによる周辺画質劣化を補正する周辺光量補正手段と、レンズの歪みによる周辺画質劣化を補正する歪み補正手段とを備える。また、周辺光量補正手段及び歪み補正手段による補正画像を差分予測画像として元画像を可逆フレーム間圧縮し、元画像圧縮データを生成する元画像圧縮データ生成手段を備える。また、補正画像を可逆フレーム内圧縮し、補正画像圧縮データを生成する補正画像圧縮データ生成手段と、レンズ情報、元画像圧縮データ、補正画像圧縮データを一つのファイルとして保存する保存手段とを備える。
【００１９】
このように、元画像を可逆フレーム間圧縮し、元画像圧縮データを生成することで、１画像当たりのデータ量を抑えることができる。
【発明を実施するための最良の形態】
【００２０】
以下、本発明の実施の形態を図面を参照しながら詳細に説明する。
【００２１】
図１は、本発明の実施の形態に係る映像信号処理装置としての電子スチルカメラのブロック構成を概略的に示す図である。
【００２２】
図１において、電子スチルカメラは、メモリ制御部１０１、システム制御部１０２を中心に以下の手段を備える。以下、その手段の機能を動作と併せて説明する。
【００２３】
撮像レンズ１０３は、撮影像を光学的に結像させる。シャッタ１０４は、撮影像の露出を調節する。撮像素子１０５は、撮影像をアナログの電気信号に変換する、Ａ／Ｄ変換器１０６は、撮像素子１０５のアナログ信号出力をデジタル信号に変換する。
【００２４】
画像処理部１０７は、撮影、或いは記録された画像データに対して所定の画素補間処理や色変換処理等の現像処理やリサイズ処理を行う。
【００２５】
メモリ１０８は、ＲＯＭ１０９のデータを展開したり、撮影した画像データを一時的に格納するためのものであり、所定枚数の静止画像や所定時間の動画像を格納するのに十分な記録容量備えている。例えば、Ａ／Ｄ変換器１０６から出力された画像データが、メモリ制御部１０１、画像処理部１０７、圧縮伸長部１１０を介して、或いは直接メモリ制御部１０１を介して、メモリ１０８に書き込まれる。
【００２６】
メモリ制御部１０１は、Ａ／Ｄ変換器１０６、Ｄ／Ａ変換器１１１、記憶媒体１１２、画像処理部１０７、メモリ１０８、圧縮伸長部１１０、周辺光量補正部１１３、歪み補正部１１４へのデータフローを制御する。
【００２７】
メモリ１０８に書き込まれた表示用の画像データは、Ｄ／Ａ変換器１１１を介してデジタルデータからアナログデータに変換され、ＴＦＴ、ＬＣＤ等からなる画像表示部１１５により表示される。また、撮像素子１０５から映像信号を連続的に読み出し、画像表示部１１５に表示することで、電子ビューファインダ（ＥＶＦ）機能を実現する。
【００２８】
圧縮伸長部１１０は、画像データを圧縮・伸長する。メモリカードやハードディスク等の記憶媒体１１２は、撮影された画像データ等を記録する。周辺光量補正部１１３は、レンズの周辺光量落ちによる周辺画質劣化を補正する。歪み補正部１１４は、レンズの歪みによる周辺画質劣化を補正する。
【００２９】
システム制御部１０２は、操作部１１５のモードダイアルスイッチによる設定に従い、また、ＲＯＭ（読み出し専用メモリ）１０９に格納された内容に従い、電子スチルカメラ全体の動作制御を行う。
【００３０】
操作部１１６は、例えば、電源オフ、撮影モード、再生モード等の各機能モードを切り替え設定することができる。ＲＯＭ１０９は、システム制御部１０２が使用するプログラム等があらかじめ記憶されている。
【００３１】
以下、図２、図３を用いて、本実施の形態における周辺光量補正と歪み補正が施された補正画像データと元画像圧縮データの記録について説明する。
【００３２】
図２は、図１の電子スチルカメラによって実行される画像圧縮処理の第１の例の手順を示すフローチャートである。
【００３３】
本処理は、図１におけるシステム制御部によって実行される。
【００３４】
図２において、まず、Ａ／Ｄ変換器１０６で変換された撮像素子１０５が出力する画像データについて、周辺光量補正部１１３と歪み補正部１１４により周辺光量補正、歪み補正の順で補正を施す（ステップＳ２０１、Ｓ２０２）（周辺光量補正手段、歪み補正手段）。元画像及び補正画像はメモリ１０８に一旦記憶される。
【００３５】
その補正画像を差分予測画像として、元画像を圧縮伸長部１１０により可逆フレーム間圧縮し、元画像圧縮データを生成する（ステップＳ２０３）（元画像圧縮データ生成手段）。元画像圧縮データは一旦メモリ１０８に記憶される。
【００３６】
最後に、レンズ情報（レンズの種類や撮影時のズーム位置等）、元画像圧縮データ、補正画像データを一つのファイルに保存して（ステップＳ２０４）（保存手段）、本処理を終了する。
【００３７】
本実施の形態では元画像を補正画像とのフレーム間圧縮で保存する構成であるが、本発明においては、補正画像を元画像とのフレーム間圧縮で保存するようにしても良い。また、本実施の形態において、元画像をフレーム間圧縮した後に、補正画像をフレーム内可逆圧縮するように構成しても構わない。
【００３８】
図３は、図１におけるメモリに記録される記録ファイルフォーマットの第１の例を示す図である。
【００３９】
図３において、画像サイズを１６００×１２００、Ａ／Ｄ変換器１０６のデータ幅を１２ビットとする。この場合、補正画像のデータサイズは、
１６００×１２００×１２／８＝２．７４ＭＢ
である。また、元画像が１／８程度の圧縮率で圧縮できたとする。
【００４０】
０ｘ００００＿００００番地からはヘッダ領域であり、画像データへのポインタ情報や、画像データの数や種類等の情報が記録されている。
【００４１】
０ｘ００００＿００２０番地からはレンズ情報領域であり、レンズの種類や撮影時のズーム位置等の情報が記録されている。
【００４２】
０ｘ００００＿００８０番地からは補正画像データ領域であり、この例の場合、２．７４ＭＢの画像データが記録されている。
【００４３】
０ｘ００２Ｂ＿Ｆ２８０番地からは元画像圧縮データ領域である。このアドレスは補正画像のサイズによって異なり、ヘッダ領域に記録されている。
【００４４】
以下、図４を用いて、記録した映像信号処理装置（電子スチルカメラ）もしくはパソコン等で、後にユーザが好みの補正を施すために元画像を伸長する際の動作について、説明する。
【００４５】
図４は、図１の電子スチルカメラによって実行される画像伸長処理の第１の例の手順を示すフローチャートである。
【００４６】
本処理は、図１におけるシステム制御部によって実行される。
【００４７】
図４において、記録ファイルのヘッダ情報から補正画像と元画像圧縮データを読み出し、それらから元画像データを圧縮伸長部１１０により伸長する（ステップＳ４０１）。
【００４８】
図５は、図１の電子スチルカメラによって実行される画像圧縮処理の第２の例の手順を示すフローチャートである。
【００４９】
本処理は、図１におけるシステム制御部によって実行される。
【００５０】
図５において、Ａ／Ｄ変換器１０６で変換された撮像素子１０５が出力する画像データについて、周辺光量補正部１１３で周辺光量補正を施す（ステップＳ５０１）（周辺光量補正手段）。元画像及び周辺光量補正画像はメモリ１０８に一旦記憶される。
【００５１】
その周辺光量補正画像を差分予測画像として、元画像を圧縮伸長部１１０により可逆フレーム間圧縮し、元画像圧縮データを生成する（ステップＳ５０２）（元画像圧縮データ生成手段）。元画像圧縮データは一旦メモリ１０８に記憶される。
【００５２】
次に、歪み補正部１１４により周辺光量補正画像から歪み補正画像を生成する（ステップＳ５０３）（歪み補正手段）。最後に、レンズ情報（レンズの種類や撮影時のズーム位置等）、元画像圧縮データ、補正画像データを一つのファイルに保存して（ステップＳ５０４）（保存手段）、本処理を終了する。
【００５３】
本実施の形態では元画像を補正画像とのフレーム間圧縮で保存する構成であるが、本発明においては、補正画像を元画像とのフレーム間圧縮で保存するようにしても良い。また、本実施の形態において、元画像をフレーム間圧縮した後に、補正画像をフレーム内可逆圧縮するように構成しても構わない。
【００５４】
図６は、図１におけるメモリに記録される記録ファイルフォーマットの第２の例を示す図である。
【００５５】
図６において、画像サイズを１６００×１２００、Ａ／Ｄ変換器１０６のデータ幅を１２ビットとする。この場合、補正画像のデータサイズは、
１６００×１２００×１２／８＝２．７４ＭＢ
である。また、元画像が１／３２程度の圧縮率で圧縮できたとする。
【００５６】
０ｘ００００＿００００番地からはヘッダ領域であり、画像データへのポインタ情報や、画像データの数や種類等の情報が記録されている。
【００５７】
０ｘ００００＿００２０番地からはレンズ情報領域であり、レンズの種類や撮影時のズーム位置等の情報が記録されている。
【００５８】
０ｘ００００＿００８０番地からは補正画像データ領域であり、この例の場合、２．７４ＭＢの画像データが記録されている。
【００５９】
０ｘ００２Ｂ＿Ｆ２８０番地からは元画像圧縮データ領域である。このアドレスは補正画像のサイズによって異なり、ヘッダ領域に記録されている。
【００６０】
以下、図７を用いて、記録した映像信号処理装置（電子スチルカメラ）もしくはパソコン等で、後にユーザが好みの補正を施すために元画像を伸長する際の動作について、説明する。
【００６１】
図７は、図１の電子スチルカメラによって実行される画像伸長処理の第２の例の手順を示すフローチャートである。
【００６２】
本処理は、図１におけるシステム制御部によって実行される。
【００６３】
図７において、記録ファイルのヘッダ情報から補正画像とレンズ情報を読み出し、補正画像を歪み補正部１１４（もしくはパソコン等のソフトウェア）により逆歪み補正し、差分予測画像を復元する（ステップＳ７０１）。
【００６４】
記録ファイルのヘッダ情報から元画像圧縮データを読み出し、差分予測画像と元画像圧縮データから元画像データを圧縮伸長部１１０（もしくはパソコン等のソフトウェア）により伸長し（ステップＳ７０２）、本処理を終了する。
【００６５】
本発明の実施の形態によれば、未補正画像と共に補正済み画像を記録する電子スチルカメラ等の映像信号処理装置において、１画像当たりのデータ量を抑えることができる。
【００６６】
また、座標変換を伴う補正を実施し、未補正画像と共に補正済み画像を記録する電子スチルカメラ等の映像信号処理装置において、１画像当たりのデータ量を抑えることができる。
【００６７】
また、補正済み画像と共に未補正画像を記録する電子スチルカメラ等の映像信号処理装置において、１画像当たりのデータ量を抑えることができる。
【００６８】
また、座標変換を伴う補正を実施し、補正済み画像と共に未補正画像を記録する電子スチルカメラ等の映像信号処理装置において、１画像当たりのデータ量を抑えることができる。
【００６９】
また、周辺光量落ち補正と歪み補正を実施する電子スチルカメラ等の映像信号処理装置において、精度よく補正を実施することができる。
【００７０】
また、レンズの周辺光量落ちや歪みによる画質劣化は画像の端でのみ発生するため、元画像を補正画像とのフレーム間差分で記録することで、画像サイズを大幅に縮小することができる（またその逆で、補正画像を元画像とのフレーム間差分で記録することでも同様の効果が得られる）。また、元画像の伸長の際には、差分予測値である補正後データがそのまま一緒に記録されているため、差分予測値を生成する必要がない。
【００７１】
更に、レンズの周辺光量落ちによる画質劣化は座標変換を伴わないため、元画像を周辺光量落ち補正後画像とのフレーム間差分で記録することで、画像サイズを更に縮小することができる（またその逆で、周辺光量落ち補正後画像を元画像とのフレーム間差分で記録することでも同様の効果が得られる）。
【００７２】
また、未補正画像をパソコン等に取り込んでユーザの好みで補正を実施することができる。
【００７３】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００７４】
この場合、記憶媒体から読み出されたプログラムコード自体が前述した実施の形態の機能を実現することになり、そのプログラムコード及び該プログラムコードを記憶した記憶媒体は本発明を構成することになる。
【００７５】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００７６】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００７７】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００７８】
【図１】本発明の実施の形態に係る映像信号処理装置としての電子スチルカメラのブロック構成を概略的に示す図である。
【図２】図１の電子スチルカメラによって実行される画像圧縮処理の第１の例の手順を示すフローチャートである。
【図３】図１におけるメモリに記録される記録ファイルフォーマットの第１の例を示す図である。
【図４】図１の電子スチルカメラによって実行される画像伸長処理の第１の例の手順を示すフローチャートである。
【図５】図１の電子スチルカメラによって実行される画像圧縮処理の第２の例の手順を示すフローチャートである。
【図６】図１におけるメモリに記録される記録ファイルフォーマットの第２の例を示す図である。
【図７】図１の電子スチルカメラによって実行される画像伸長処理の第２の例の手順を示すフローチャートである。
【符号の説明】
【００７９】
１０１  メモリ制御部
１０２  システム制御部
１０７  画像処理部
１０８  メモリ
１０９  ＲＯＭ
１１３  周辺光量補正部
１１４  歪み補正部
【図１】
2008118547.tif 000003
【図２】
2008118547.tif 000004
【図３】
2008118547.tif 000005
【図４】
2008118547.tif 000006
【図５】
2008118547.tif 000007
【図６】
2008118547.tif 000008
【図７】
2008118547.tif 000009